(57)【要約】【課題】基地局とユーザ機器との間で所定のセルのアクティブ状態と非アクティブ状態との認識についての不一致を防止する。【解決手段】基地局は、システム帯域に含まれる複数の周波数ブロックが設定されたユーザ機器から、アップリンク信号を受信するように構成された受信機を有する。また、無線基地局は、複数の周波数ブロックの１つを構成するセルがユーザ機器によって非アクティブにされる時間を計測するよう構成されたタイマーを有する。また、基地局は、受信されたアップリンク信号の受信状態と、タイマーによって計測された時間とに基づき、セルがアクティブ状態か非アクティブ状態かを判断するよう構成されたプロセッサを有する。【選択図】      図２
2016076889.tif 000002
【特許請求の範囲】
【請求項１】
ユーザ機器と、基地局とを有する無線通信システムであって、
前記ユーザ機器に、システム帯域に含まれる複数の周波数ブロックが設定され、
前記基地局が、
前記ユーザ機器が送信するアップリンク信号を受信し、
前記ユーザ機器によって前記複数の周波数ブロックの１つを構成するセルが非アクティブにされる時間を計測し、
前記受信された前記アップリンク信号の受信状態と、前記計測された非アクティブにされる時間とに基づき、前記セルがアクティブ状態か非アクティブ状態かを判断する、
無線通信システム。
【請求項２】
システム帯域に含まれる複数の周波数ブロックが設定されたユーザ機器から、アップリンク信号を受信するように構成された受信機；
前記複数の周波数ブロックの１つを構成するセルが前記ユーザ機器によって非アクティブにされる時間を計測するよう構成されたタイマー；及び
前記受信機によって受信された前記アップリンク信号の受信状態と、前記タイマーによって計測された時間とに基づき、前記セルがアクティブ状態か非アクティブ状態かを判断するよう構成されたプロセッサ；
を有する基地局。
【請求項３】
前記アップリンク信号の受信状態を測定する測定部を有する、
請求項２記載の基地局。
【請求項４】
前記タイマーが満了した後、前記測定部により測定された前記アップリンク信号の受信状態が悪い場合、
前記プロセッサは、前記セルが非アクティブ状態であると判定する、
請求項３記載の基地局。
【請求項５】
前記プロセッサは、
前記アップリンク信号の受信状態が悪い回数をカウントし、
前記判定は、
前記カウントされた回数に基づく、
請求項４記載の基地局。
【請求項６】
前記アップリンク信号の受信状態は、
前記アップリンク信号の受信品質、及び前記アップリンク信号に関する誤り検出結果、
に基づいて判定される、
請求項２記載の基地局。
【請求項７】
前記受信品質が所定の閾値より高く、前記誤り検出結果が所定の誤りが検出されたことを示す場合、
前記プロセッサは、前記セルが非アクティブ状態であると判断する、
請求項６記載の基地局。
【請求項８】
前記プロセッサの判断結果に基づき、前記セルをアクティブにするためのコマンドを送信するよう構成された送信機;
を更に有する、請求項７記載の基地局。
【請求項９】
基地局の通信方法であって、
システム帯域に含まれる複数の周波数ブロックが設定されたユーザ機器から、アップリンク信号を受信し；
前記複数の周波数ブロックの１つを構成するセルがユーザ機器によって非アクティブにされる時間を計測し；
前記受信された前記アップリンク信号の受信状態と、前記計測された時間とに基づき、前記セルがアクティブ状態か非アクティブ状態かを判断する；
基地局の通信方法。
【請求項１０】
基地局の通信方法をコンピュータに実行させるためのプログラムであって、
システム帯域に含まれる複数の周波数ブロックが設定されたユーザ機器から、アップリンク信号を受信するプロセスと；
前記複数の周波数ブロックの１つを構成するセルがユーザ機器によって非アクティブにされる時間を計測するプロセスと；
前記受信された前記アップリンク信号の受信状態と、前記計測された時間とに基づき、前記セルがアクティブ状態か非アクティブ状態かを判断するプロセスと；
をコンピュータに実行させるためのプログラム。
【発明の詳細な説明】
【技術分野】
【０００１】
本開示は、無線通信システム、基地局、通信方法、プログラムに関する。
【背景技術】
【０００２】
第３世代(３Ｇ)移動体通信システムの標準化プロジェクト（3GPP：Third Generation Partnership Project）では、ロングタームエボリューション（LTE: Long Term Evolution)の後継として、LTE-Advancedの標準化が行われている。
【０００３】
LTE-Advancedでは、通信の高速化のため、キャリアアグリゲーション（ＣＡ：Career Aggregation）技術が導入される。
【０００４】
特許文献１によれば、キャリアアグリゲーションは、複数のコンポーネントキャリア（CC：Component Carrier）を用いた複数のセルによる通信である。なお、特許文献１において、基地局装置は、移動局装置に対し、ＲＲＣ無線接続再設定メッセージを送信する。このＲＲＣ無線接続再設定メッセージには、移動局装置における自局の状態監視を開始させ、所定の状態となったか否かを移動局装置に判定させるために必要なパラメータが設定される。移動局装置は、受信したパラメータを設定し、現在の移動局装置の送受信の状態が所定の状態となったか否かの判定を行う。
【０００５】
また、非特許文献１には、セカンダリサービングセル（SCell：Secondary Serving Cell）とプライマリサービングセル（PCell：Primary Serving Cell）とを用いてキャリアアグリゲーションを行うユーザ機器が開示されている。ユーザ機器のSCellの状態は、アクティブ状態と非アクティブ状態からなる。ユーザ機器は、SCell非アクティベーションタイマー（sCellDeactivationTimer）を有している。このタイマーが満了すると、ユーザ機器は、対応するSCellを非アクティブ状態にする。
【先行技術文献】
【特許文献】
【０００６】
【特許文献１】国際公開第２０１３／１３７１６５号
【非特許文献】
【０００７】
【非特許文献１】TS36.321（3GPP TS 36.321 V12.1.0 (2014-03)、Medium Access Control (MAC) protocol specification）
【発明の概要】
【発明が解決しようとする課題】
【０００８】
しかしながら、上述のとおり、ユーザ機器が自律的にSCellを非アクティブ状態にできるため、基地局とユーザ機器との間でSCellのアクティブ状態と非アクティブ状態との認識について不一致が発生しうる。
【０００９】
そこで、例示的な実施形態の目的の１つは、基地局とユーザ機器との間で所定のセルのアクティブ状態と非アクティブ状態との認識について不一致を防止することが可能な無線通信システム、基地局、通信方法、プログラムを提供することである。なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１０】
例示的な実施形態の無線通信システムは、ユーザ機器と、基地局とを有する。該ユーザ機器に、システム帯域に含まれる複数の周波数ブロックが設定される。また、該基地局が、前記ユーザ機器が送信するアップリンク信号を受信し、前記ユーザ機器によって前記複数の周波数ブロックの１つを構成するセルが非アクティブにされる時間を計測し、前記受信された前記アップリンク信号の受信状態と、前記計測された非アクティブにされる時間とに基づき、前記セルがアクティブ状態か非アクティブ状態かを判断する。
【００１１】
他の例示的な実施形態の基地局は、システム帯域に含まれる複数の周波数ブロックが設定されたユーザ機器から、アップリンク信号を受信するように構成された受信機と、前記複数の周波数ブロックの１つを構成するセルが前記ユーザ機器によって非アクティブにされる時間を計測するよう構成されたタイマーと、前記受信機によって受信された前記アップリンク信号の受信状態と、前記タイマーによって計測された時間とに基づき、前記セルがアクティブ状態か非アクティブ状態かを判断するよう構成されたプロセッサとを有する。
【００１２】
他の例示的な実施形態の基地局の通信方法は、システム帯域に含まれる複数の周波数ブロックが設定されたユーザ機器から、アップリンク信号を受信し、前記複数の周波数ブロックの１つを構成するセルが前記ユーザ機器によって非アクティブにされる時間を計測し、前記受信された前記アップリンク信号の受信状態と、前記計測された時間とに基づき、前記セルがアクティブ状態か非アクティブ状態かを判断する。
【００１３】
他の例示的な実施形態のコンピュータプログラムは、システム帯域に含まれる複数の周波数ブロックが設定されたユーザ機器から、アップリンク信号を受信するプロセスと、前記複数の周波数ブロックの１つを構成するセルが前記ユーザ機器によって非アクティブにされる時間を計測するプロセスと、前記受信された前記アップリンク信号の受信状態と、前記計測された時間とに基づき、前記セルがアクティブ状態か非アクティブ状態かを判断するプロセスと、をコンピュータに実行させる。
【発明の効果】
【００１４】
本発明の例示的な実施形態によれば、基地局とユーザ機器との間で所定のセルのアクティブ状態と非アクティブ状態との認識について不一致を防止することが可能な無線通信システム、基地局、通信方法、プログラムを提供することができる。
【図面の簡単な説明】
【００１５】
【図１】本開示の無線通信システムの概略的な構成の一例を示す図である。
【図２】本開示の基地局の概略的な構成の一例を示す図である。
【図３】本開示のユーザ機器の概略的な構成の一例を示す図である。
【図４】第１の例示的な実施形態の無線基地局を示す図である。
【図５】第１の例示的な実施形態のユーザ機器を示す図である。
【図６】第１の例示的な実施形態の動作を示す図である。
【図７】第２の例示的な実施形態の無線基地局を示す図である。
【図８】第２の例示的な実施形態のユーザ機器を示す図である。
【図９】第２の例示的な実施形態の動作を示す図である。
【図１０】第３の例示的な実施形態の無線基地局を示す図である。
【発明を実施するための形態】
【００１６】
以下において、添付図面を参照しながら、例示的な実施形態が詳細に示される。各図面において、同一又は対応する要素には同一の符号が付されており、説明の明確化のため、必要に応じて重複説明は省略される。以下に説明される複数の実施形態は、独立に実施されることもできるし、適宜組み合わせて実施されることもできる。各図面において、同一又は対応する要素には同一の符号が付されており、説明の明確化のため、必要に応じて重複説明は省略される。
＜はじめに＞
例示的な実施形態に係る技術が、以下に示される。キャリアアグリゲーションでは、１つのユーザ機器が同時に複数のキャリアを使用する。上りまたは下りまたは両リンクの通信が行われる。キャリアアグリゲーション時に使用される各キャリアはコンポーネントキャリア（CC：Component Carrier）と呼ばれる。
【００１７】
ユーザ機器に接続され通信に使用可能なCCは、サービングセル（Serving Cell）である。サービングセルの中で、ユーザ機器の接続確立時に最初に設定されるセルは、プライマリサービングセル（PCell：Primary Serving Cell）である。また、接続確立後にキャリアアグリゲーションの為に追加で設定されるセルは、セカンダリサービングセル（SCell：Secondary Serving Cell）である。ユーザ機器のSCellの状態は、アクティブ状態と非アクティブ状態が規定されている。
【００１８】
基地局は、SCellをアクティブ状態にする（アクティベート：activate）または非アクティブ状態にする（ディアクティベート：deactivate）ことができる。また、ユーザ機器は、自律的に、アクティブ状態から非アクティブ状態に遷移できる。ユーザ機器は、SCellがアクティベートされている場合（SCellがアクティブ状態にある場合）、SCellを使用した通信が可能となる。
【００１９】
またユーザ機器は、SCellがアクティベートされている場合、そのSCellに対する下り品質測定や、チャネル状態情報（CSI：Channel State Information）の基地局への報告、また物理下りリンク制御チャネル（PDCCH：Physical Downlink Control Channel）の監視を行う。
【００２０】
一方、SCellがディアクティベートされている場合（非アクティブ状態にある場合）、ユーザ機器は、そのSCellを使用した通信を行わない。また、ユーザ機器は、そのSCellに対する下り品質測定や、チャネル状態情報（CSI：Channel State Information）の基地局への報告、また物理下りリンク制御チャネル（PDCCH：Physical Downlink Control Channel）の監視も行わない。
【００２１】
アクティブ状態のSCellを非アクティブ状態に切り替える方法として、以下の２つが示される。
１）基地局が、非アクティブ化を行うためのMAC（Media Access Control)制御要素をユーザ機器に送信する。ユーザ機器は、非アクティブ化を指示するMAC制御要素を受信すると、当該SCellの状態を非アクティブ状態に遷移させる。
２）ユーザ機器は、SCellに関する非アクティベーションタイマーを有する。ユーザ機器に対しPDCCHを使用した上りリンクまたは下りリンクの通信リソースの割り当て（アップリンクグラントまたはダウンリンクアサイメント）が無く、非アクティベーションタイマーが満了した場合、ユーザ機器が自律的にそのSCellを非アクティブ化（deactivate）する。
【００２２】
一方、非アクティブ状態のSCellをアクティブ状態に切り替えるために、基地局は、アクティブ化を行うためのMAC制御要素を、ユーザ機器に送信できる。ユーザ機器は、アクティブ化を指示するMAC制御要素を受信すると、ユーザ機器は当該SCellの状態をアクティブ状態に遷移させる。
【００２３】
上述のとおり、ユーザ機器側の自律的な状態遷移手段が存在するため、基地局とユーザ機器間でSCellアクティブまたは非アクティブ状態の認識不一致が発生しうる。具体的には、基地局が非アクティブ状態と認識しているにも関わらず、ユーザ機器はアクティブ状態であると認識する認識不一致が起こり得る。
【００２４】
上述の認識不一致は以下の方法により発生しうる。
【００２５】
ユーザ機器は、アクティブ状態にあるSCellについて、基地局からの上りまたは下りリンクのスケジューリング情報であるPDCCHをモニタ(ブラインド受信)する。ユーザ機器が、正しく受信できた場合、復号された後のスケジューリング情報に基づき、下りまたは上り通信処理を行う。この過程において、基地局が当該ユーザ機器にスケジューリングしていないにも関わらず、当該ユーザ機器がPDCCHを受信し、自身にスケジューリングが有ったと誤認識することが、ある一定確率で起こり得る。
【００２６】
この誤認識が生じた場合、ユーザ機器はSCell非アクティベーションタイマーをリセット（リスタート）する。一方、基地局はスケジューリングしていない為、基地局はユーザ機器の非アクティベーションタイマー（sCellDeactivationTimer）が満了したものと認識する。より具体的には、基地局がSCell非アクティベーションタイマーを有し、このタイマーに基づきユーザ機器のアクティブ状態を認識している。上記の場合、基地局のタイマーがユーザ機器のタイマーより早く満了しているため、上記認識の不一致が生じ得る。
【００２７】
この認識の不一致は、例えば、PCellのPUSCH（Physical Uplink Shared Channel）の送信タイミングとSCellのCQI（Channel quality indicator）の送信タイミングが重なった場合に、基地局がPUSCHとSCellのCQIとを適切に受信できない問題の原因となる。
【００２８】
上述のとおり、本発明者らは、上記認識の不一致と、それに基づく問題の発生を見出した。
＜通信システムの概要＞
図１は、本開示の無線通信システムの概略的な構成の一例を示す。
図１において、無線通信システム１（無線アクセスシステム）は、システム帯域幅（システム帯域）を有する。この帯域は、ユーザ機器の最大送受信帯域幅に相当する所定の周波数ブロック（例えば、20MHz）に分割される。例えば100MHzのシステム帯域幅を有する場合、全システム帯域は、５つの周波数ブロックに分割することができる。なお、周波数ブロックは、キャリアアグリゲーションのコンポーネントキャリア（CC：Component Carrier）に相当しうるが、必ずしもこれに限定されない。
【００２９】
無線通信システム１は、基地局２とユーザ機器３とを有する。ユーザ機器３に、システム帯域に含まれる複数の周波数ブロックが設定される。
【００３０】
基地局２は、該ユーザ機器３より送信されたアップリンク信号を受信する。基地局２は、ユーザ機器によって複数の周波数ブロックの１つを構成するセルが非アクティブにされる時間を計測する。また、基地局２は、該アップリンク信号の受信状態と、計測された非アクティブにされる時間とに基づき、当該セルがアクティブ状態か非アクティブ状態かを判断する。
【００３１】
図２は、本開示の基地局の概略的な構成の一例を示す。
図２において、基地局２は、受信機１０と、プロセッサ１１と、タイマー１２とを有する。
【００３２】
受信機１０は、システム帯域に含まれる複数の周波数ブロックが設定されたユーザ機器からアップリンク信号を受信するように構成される。タイマー１２は、該複数の周波数ブロックの１つを構成するセルがユーザ機器によって非アクティブにされる時間を計測するよう構成される。プロセッサ１１は、受信機１０によって受信されたアップリンク信号の受信状態と、タイマーによって計測された時間とに基づき、セルがアクティブ状態か非アクティブ状態かを判断するよう構成される。
【００３３】
図３は、本開示のユーザ機器の概略的な構成の一例を示す。
図３において、ユーザ機器３は、送信機２１と、プロセッサ２２と、タイマー２３とを有する。
【００３４】
送信機２１は、アップリンク信号を送信するよう構成される。タイマー２３は、システム帯域に含まれる複数の周波数ブロックがユーザ機器３に設定された場合に、複数の周波数ブロックの１つを構成するセルを非アクティブにする時間を計測するよう構成される。プロセッサ２２は、タイマー２３により計測された非アクティブにする時間が満了した場合、セルを非アクティブにするよう構成される。
【００３５】
本開示によれば、基地局とユーザ機器との間で所定のセルのアクティブ状態と非アクティブ状態との認識について不一致を防止することが可能となる。
【００３６】
なお、ＣＡはアップリンク通信及びダウンリンク通信の双方に適用可能であるが、一方のみ適用してもよい。例えば、ダウンリンク通信のみにＣＡが適用された場合、ユーザ機器に設定された複数の周波数ブロックの１つを構成するセル（SCell）はダウンリンク通信のためだけに使用され、アップリンク通信には使用されない。
＜第１の例示的な実施形態＞
図４は、第１の例示的な実施形態の無線基地局を示す。
【００３７】
図４において、無線基地局３０は、受信部３１１及びＳＩＲ(Signal to interference ratio)測定部３１２を備えるＰＵＣＣＨ（Physical Uplink Control Channel）受信部３１と、受信制御部３２と、受信状態判定部３３と、非アクティベーションタイマー３４と、アクティブ状態管理部３５とを有する。
【００３８】
受信制御部３２は、アクティブ状態管理部３５から送信されるアクティブ状態情報を入力する。また、受信制御部３２は、受信タイミングを制御するための受信タイミング情報を受信部３１１に出力する。
【００３９】
受信部３１１は、ユーザ機器からPUCCHにて受信した信号と、受信制御部３２から出力された受信タイミング情報とを入力する。また、受信部３１１は、受信タイミング情報で指定されたタイミングにおいて受信信号をＳＩＲ測定部３１２に出力する。
【００４０】
ＳＩＲ測定部３１２は、受信部３１１から出力されたPUCCHの受信信号を入力する。また、ＳＩＲ測定部３１２は、ＳＩＲを測定し、測定したＳＩＲを受信状態判定部３３に出力する。
【００４１】
受信状態判定部３３は、ＳＩＲ測定部３１２から出力された受信ＳＩＲを入力する。受信状態判定部３３は、信号の受信状態の良し悪しを判定し、ユーザ機器毎またはSCell毎に連続して受信状態が悪いと判断された回数をカウントする。カウント値が指定回数に達すると、受信状態情報をアクティブ状態管理部３５に出力する。なお、例えば、受信状態の良し悪しは、受信ＳＩＲと所定の閾値とを比較することにより行われてもよい。
【００４２】
非アクティベーションタイマー３４は、タイマーの満了時にタイマー満了情報をアクティブ状態管理部３５へ出力する。なお、例えば、無線基地局３０が、MAC（Media Access Control)制御要素をユーザ機器に送信可能に構成され、このMAC（Media Access Control)制御要素が送信される際に、非アクティベーションタイマー３４がスタートしてもよい。
【００４３】
アクティブ状態管理部３５は、非アクティベーションタイマー３４からのタイマー満了情報と、受信状態判定部３３から出力された受信状態情報とを入力する。アクティブ状態管理部３５は、タイマー満了情報が入力された後に、当該SCellの受信状態情報が入力されると、当該SCellが非アクティブ状態であることを示すアクティブ状態情報を受信制御部３２へ出力する。
【００４４】
図５は、第１の例示的な実施形態のユーザ機器を示す。
【００４５】
図５において、ユーザ機器４０は、非アクティベーションタイマー４１とプロセッサ４２と送信機４３とを有する。送信機４３は、ＰＵＣＣＨにてアップリンク信号を無線基地局３０に送信する。非アクティベーションタイマー４１は、タイマーの満了時にタイマー満了情報をプロセッサ４２に出力する。プロセッサ４２は、入力したタイマー満了情報に基づき、送信機４３のＰＵＣＣＨにおけるアップリンク信号の送信を制御する。
【００４６】
図６は、第１の例示的な実施形態の動作を示す。
【００４７】
Ｓ１０１において、無線基地局３０の非アクティベーションタイマー３４は、タイマー満了時に、タイマーが満了したことを示すタイマー満了情報を、アクティブ状態管理部３５に出力（通知）する。
【００４８】
Ｓ１０２において、PUCCH受信部３１に設けられた受信部３１１は、ユーザ機器から送信されたPUCCHにおける受信信号を受信する。SIR測定部３１２は、受信制御部３２が指定したユーザ機器のSCell CQIの送信タイミングに関する情報を受信する。また、受信部３１１は、この送信タイミングで受信信号をSIR測定部３１２へ出力する。
【００４９】
Ｓ１０３において、ＳＩＲ測定部３１２は、受信ＳＩＲを測定する。その測定結果は、受信状態判定部３３に送信される。ここで、受信状態判定部３３は、受信SIRが閾値を下回るかどうかを判定する。Ｓ１０３でＹＥＳの場合、Ｓ１０４が実行される。
【００５０】
Ｓ１０４において、受信状態判定部３３は、ユーザ機器毎またはSCell毎に、連続して受信SIRが閾値よりも小さいと判定された回数をカウントする。
【００５１】
このカウント数がN回を超えると（Ｓ１０４でＹＥＳ）、受信状態判定部３３は、受信状態情報として当該SCellの情報を、アクティブ状態管理部３５へ出力（通知）する。
【００５２】
カウント数がN回を超えなければ（Ｓ１０４でＮＯ）、当該SCellを使用した信号の受信が継続される。
【００５３】
なお、受信SIRが閾値を下回るかどうかの判定は、SIR測定部３１２によって実行されてもよい。この場合、SIR測定部３１２によって実行されたＳ１０３の判定結果が、受信状態判定部３３に入力される。受信状態判定部３３は、Ｓ１０３の判定結果に基づき、Ｓ１０４を実行する。
【００５４】
Ｓ１０５において、アクティブ状態管理部３５は、非アクティベーションタイマー３４からタイマー満了情報を受信した後、当該SCellの受信状態情報を受信すると、当該ユーザ機器のSCellが非アクティブ状態へ遷移したと判断する。そして、アクティブ状態管理部３５は、受信制御部３２へアクティブ状態情報を通知する。また、受信制御部３２は、受信したアクティブ状態情報を基に、受信部３１１に対して、非アクティブ状態のSCellからの信号の受信を停止させる。
【００５５】
上述のとおり、無線基地局が、ユーザ機器に係るSCellのCQI送信タイミングにおける受信処理を続け、N回続けて受信状態が悪いと判断した場合に、アクティブ状態から非アクティブ状態に状態遷移させる。このため、もしユーザ機器が未だ非アクティブ状態に遷移しておらず、SCell CQIを送信し続けている場合、上述のSCell受信状態判定により、基地局の方が、ユーザ機器より先に非アクティブ状態に遷移し、認識不一致状態となることを防ぐことができる。
＜第２の例示的な実施形態＞
図７は、第２の例示的な実施形態の無線基地局を示す。
【００５６】
図７において、無線基地局５０は、受信部５１１と、ＳＩＲ測定部５１２と、復調・復号化部５１３と、ＣＲＣ判定部５１４を備えるＰＵＳＣＨ（physical uplink shared channel）受信部５１を有する。また、無線基地局５０は、受信制御部５２と、アクティブ状態判定部５３と、非アクティベーションタイマー５４と、アクティブ状態管理部５５と、送信データ生成部５６と、変調・符号化部５７１と無線送信部５７２とを備える送信部５７と、を有する。
【００５７】
受信制御部５２は、PUSCHとSCellにおけるCQIの送信タイミングとが重なる場合に、受信タイミング情報を受信部５１１へ出力する。なお、送信タイミングが重なる場合は、同一サブフレーム（またはフレーム）にて送信される場合であってもよい。
【００５８】
受信部５１１は、ユーザ機器からPUSCHにおいて受信した受信信号と、受信制御部５２から出力された受信タイミング情報とを入力する。受信部５１１は、受信タイミング情報で指定されたタイミングでSIR測定部５１２と、復調・復号化部５１３とに、受信信号を出力する。
【００５９】
SIR測定部５１２は、受信部５１１から出力された受信信号を入力する。SIR測定部５１２は、受信信号の受信SIRを測定し、アクティブ状態判定部５３へ出力する。
【００６０】
CRC判定部５１４は、復調・復号化部413から出力された復号された復号信号を入力する。CRC判定部５１４は、復号信号に対してＣＲＣ(Cyclic Redundancy Check, CRC: 巡回冗長検査)による誤り検出判定を行う。CRC判定部５１４は、CRC判定結果をアクティブ状態判定部５３へ出力する。
【００６１】
アクティブ状態判定部５３は、SIR測定部５１２から出力された受信SIRと、CRC判定部５１４から出力されたCRC判定結果を入力する。アクティブ状態判定部５３は、受信SIRとCRC判定結果とに基づき、基地局とユーザ機器間におけるSCellのアクティブ状態または非アクティブ状態の認識不一致を判定する。
【００６２】
アクティブ状態判定部５３は、認識不一致の場合に、認識不一致情報をアクティブ状態管理部５５へ出力する。
【００６３】
非アクティベーションタイマー５４は、タイマー満了時に、タイマー満了情報をアクティブ状態管理部５５に出力する。
【００６４】
アクティブ状態管理部５５は、アクティブ状態判定部５３から出力された認識不一致情報と、非アクティベーションタイマー５４から出力されたタイマー満了情報を入力する。アクティブ状態管理部５５は、入力したタイマー満了情報と、認識不一致情報とに基づき、非アクティベーションコマンド送信指示を送信データ生成部５６に出力する。
【００６５】
送信データ生成部５６は、アクティブ状態管理部５５から出力された非アクティベーションコマンド送信指示を入力する。送信データ生成部５６は、非アクティベーションコマンドを含むMAC制御要素を生成し、生成したMAC制御要素を送信データとして変調・符号化部５７１に出力する。
【００６６】
無線送信部５７２は、変調・符号化部５７１から出力された変調信号を入力とし、ユーザ機器に信号を送信する。
【００６７】
図８は、第２の例示的な実施形態のユーザ機器を示す。
【００６８】
図８において、ユーザ機器６０は、受信機６１と、アクティブ状態管理部６２と、送信機６３と、非アクティベーションタイマー６４を有する。
【００６９】
受信機６１は、無線基地局５０から送信されたMAC制御要素を受信する。受信機６１は、受信したMAC制御要素に基づき、アクティブ状態管理部６２に、非アクティベーション指示を出力する。アクティブ状態管理部６２は、受信機６１から出力された非アクティベーション指示を入力する。送信機６３は、無線基地局５０へPUSCHにて信号を送信する。非アクティベーションタイマー６４は、タイマーの満了時にタイマー満了情報をアクティブ状態管理部６２に出力し、タイマーをストップする。
【００７０】
図９は、第２の例示的な実施形態の動作を示す。
【００７１】
Ｓ３０１において、非アクティベーションタイマー５４は、タイマー満了時にタイマーが満了したことを示すタイマー満了情報を、アクティブ状態管理部５５に出力（通知）する。
【００７２】
Ｓ３０２において、PUSCH受信部５１に設けられた受信部５１１は、ユーザ機器６０から送信されたPUSCHにおける信号を受信する。受信制御部５２が指定したPUSCHとSCellのCQI送信タイミングが重なる場合において（Ｓ３０２でＹＥＳ）、受信部５１１が受信した受信信号をSIR測定部５１２と、復調・復号化部５１３へ受け渡す。
【００７３】
Ｓ３０３において、復調・復号化部５１３は、受信信号を復調・復号化し、CRC判定部５１４へ復号化した復号信号を受け渡す。CRC判定部５１４は、復号化された信号のCRC判定を行い、アクティブ状態判定部５３へ通知する。ＳＩＲ測定部５１２は、受信信号のSIRを測定し、測定結果をアクティブ状態判定部５３へ通知する。
【００７４】
Ｓ３０４において、アクティブ状態判定部５３は、割り当てMCS(Modulation and Coding Scheme)に対応するターゲットSIRと、受信SIRとの比較を行う。
【００７５】
アクティブ状態判定部５３は、非アクティベーションタイマー５４からタイマー満了情報を受信した後、当該SCellの受信SIRが、割り当てMCSに対応するターゲットSIR以上であり、かつCRC判定がNGと通知された場合に（Ｓ３０４でＹＥＳ）、ユーザ機器６０と無線基地局５０との間におけるSCellアクティブ/非アクティブ状態の認識不一致が起きていると判断し、Ｓ３０５の処理へ進む。
【００７６】
それ以外の場合（Ｓ３０４でＮＯ）では、認識一致と判断され、Ｓ３０７の処理へ進む。
【００７７】
Ｓ３０５において、認識不一致が検出されると、アクティブ状態判定部５３は、アクティブ状態管理部５５へ認識不一致情報を通知（出力）する。
【００７８】
Ｓ３０６において、アクティブ状態管理部５５は、入力した認識不一致情報に基づき、非アクティベーション指示（コマンド）を送信データ生成部５６へ送信する。送信データ生成部５６は、非アクティベーション指示を受信すると、非アクティベーションコマンドを含むMAC制御要素を生成する。変調・符号化部５７１は、生成されたMAC制御要素の符号化・変調を行う。無線送信部５７２が、変調・符号化部５７１にて変調された信号を当該ユーザ機器６０へ送信する。
【００７９】
Ｓ３０７において、Ｓ３０４で認識一致と判断された場合は当該SCellのアクティブ／非アクティブ状態を維持する。
【００８０】
上述のとおり、基地局側で管理しているタイマーが満了した後に、PUSCHとSCellのCQI送信タイミングが重なった場合に、割り当てMCS、そののターゲットSIR、受信SIR及びPUSCH CRC(Cyclic Redundancy Check)判定結果から、認識不一致状態を見出す手段が示された。具体的には、受信SIRが、割り当てMCSに対応するターゲットSIR以上にもかかわらず、CRCの判定結果がNGの場合、受信品質による復号失敗ではなく、認識不一致による復号失敗であると判断する。これにより、認識不一致状態が解消された後は、PUSCHと当該SCellのCQI送信タイミングが重なった場合であっても、PUSCH、CQI共に正しく受信できる。すなわち、ユーザ機器と基地局間におけるSCellのアクティブ状態の認識不一致状態を検出し不一致が解消されることで、PUSCHと非アクティブ状態のSCellのCQI送信タイミングが重なった場合にPUSCH、CQI共に受信できない状態から復旧できる。
【００８１】
基地局側のタイマーが早く満了したとしても満了タイミングを延長することでユーザ機器と基地局間におけるSCellのアクティブ状態の認識不一致の発生を防ぐことができる。この結果、PCellのPUSCHと非アクティブ状態のSCellのCQI送信タイミングが重なった場合に、PUSCHとSCell CQIの両方を受信できない問題を防ぐことができる。
＜第３の例示的な実施形態＞
図１０は、第３の例示的な実施形態の無線基地局を示す。
【００８２】
図１０において、無線基地局７０は、無線受信部７１１と、ＳＩＲ測定部７１２、復調・復号化部５１３と、ＣＲＣ判定部５１４とを備える受信部７１を有する。また、無線基地局７０は、受信制御部３２と、受信状態判定部３３と、アクティブ状態判定部５３と、非アクティベーションタイマー７４と、アクティブ状態管理部７５と、送信データ生成部５６、変調・符号化部５７１と無線送信部５７２とを備える送信部５７と、を有する。
【００８３】
本実施形態の無線基地局７０は、第１の実施形態と第２の実施形態とを包含する構成を有する。具体的には、受信部７１は、ＰＵＣＣＨ受信部３１とＰＵＳＣＨ受信部５１の機能を実行可能に構成される。非アクティベーションタイマー７４は、非アクティベーションタイマー３４と非アクティベーションタイマー５４との機能を実行可能に構成される。アクティブ状態管理部７５は、アクティブ状態管理部３５とアクティブ状態管理部５５との機能を実行可能に構成される。また、無線受信部７１１は、受信部３１１と受信部５１１との機能を実行可能に構成される。また、ＳＩＲ測定部７１２は、ＳＩＲ測定部３１２とＳＩＲ測定部５１２との機能を実行可能に構成される。
【００８４】
無線受信部７１１は、ＰＵＣＣＨまたはＰＵＳＣＨにて受信した信号と、受信制御部７２から出力された受信タイミング情報とを入力する。また、無線受信部７１１は、受信タイミング情報で指定されたタイミングにおいて、受信信号をＳＩＲ測定部７１２に出力する。
【００８５】
SIR測定部７１２は、無線受信部７１１から出力されたＰＵＣＣＨの受信信号を入力する。また、ＳＩＲ測定部７１２は、ＳＩＲを測定し、測定したＳＩＲを受信状態判定部３３に出力する。また、SIR測定部７１２は、無線受信部７１１から出力されたＰＵＳＣＨの受信信号を入力する。ＳＩＲ測定部７１２は、ＳＩＲを測定し、アクティブ状態判定部５３へ出力する。なお、SIRの代わりに、SNR (Signal-to-Noise Ratio)、CIR(Carrier to Interference Radio)または受信電力が測定され、用いられてもよい。また、SIRの代わりにCQIが用いられてもよい。
【００８６】
なお、受信制御部３２、受信状態判定部３３、アクティブ状態判定部５３、復調・復号化部５１３、ＣＲＣ判定部５１４、送信データ生成部５６、送信部５７は、上述の実施形態と同様であるため、重複説明は省略される。
【００８７】
アクティブ状態管理部７４は、タイマー満了時に、タイマー満了情報をアクティブ状態管理部７５に出力する。
【００８８】
アクティブ状態管理部７５は、アクティブ状態判定部５３から出力された認識不一致情報と、非アクティベーションタイマー５４から出力されたタイマー満了情報を入力する。アクティブ状態管理部７５は、入力したタイマー満了情報と、認識不一致情報とに基づき、非アクティベーションコマンド送信指示を送信データ生成部５６に出力する。
【００８９】
また、アクティブ状態管理部７５は、受信状態判定部３３から出力された受信状態情報とを入力する。アクティブ状態管理部７５は、タイマー満了情報が入力された後に、当該SCellの受信状態情報が入力されると、非アクティブ状態を示すアクティブ状態情報を受信制御部３２へ出力する。
＜他の実施形態＞
上述した実施形態の対象となる無線通信システムは、３ＧＰＰ  ＬＴＥ（Long Term Evolution）、３ＧＰＰ  Ｗ−ＣＤＭＡ（Wideband Code Division Multiple Access）、ＧＳＭ（登録商標）（Global System for Mobile communications）、ＷｉＭＡＸ（Worldwide interoperability for Microwave Access）等に適用可能であるが、これらに限定されない。
【００９０】
また、いくつかの実施形態について、ユーザ機器（User Equipment）に関して本明細書で説明する。ユーザ機器は、移動端末または移動局と呼ぶこともでき、システム、加入者ユニット、加入者局、移動局、ワイヤレス端末、モバイルデバイス、ノード、デバイス、リモート局、リモート端末、端末、ワイヤレス通信デバイス、ワイヤレス通信デバイス、ワイヤレス通信装置またはユーザエージェントの機能性の一部または全部を含み得る。移動端末は、セルラー電話、コードレス電話、セッション開始プロトコル(SIP)電話、スマートフォン、ワイヤレスローカルループ(WLL)局、携帯情報端末(PDA)、ラップトップ、タブレット、ネットブック、スマートブック、ハンドヘルド通信デバイス、ハンドヘルドコンピューティングデバイス、衛星無線、ワイヤレスモデムカードおよび/またはワイヤレスシステムを介して通信する別の処理デバイスでよい。
【００９１】
さらに、様々な態様について、基地局に関して本明細書で説明する。基地局は、1つまたは複数のワイヤレス端末との通信に使用することができ、アクセスポイント、ノード、進化型ノードB(eNB)、または他の何らかのネットワークエンティティの機能性の一部または全部を含み得る。基地局は、エアインターフェースを介してUEと通信する。この通信は、1つまたは複数のセクタを通って起こり得る。基地局は、受信したエアインターフェースフレームをIPパケットに変換することによって、UEと、インターネットプロトコル(IP)ネットワークを含み得るアクセスネットワークの残りとの間のルータとして作用し得る。基地局は、エアインターフェース用の属性の管理を調整することもでき、ワイヤードネットワークとワイヤレスネットワークとの間のゲートウェイであってもよい。
【００９２】
また、上記の無線通信システム及び無線通信端末は、ハードウェア、ソフトウェア又はこれらの組み合わせにより実現することができる。また、上記の通信システムの制御方法も、ハードウェア、ソフトウェア又はこれらの組み合わせにより実現することができる。ここで、ソフトウェアによって実現されるとは、コンピュータがプログラムを読み込んで実行することにより実現されることを意味する。
【００９３】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、CD-ROM（Compact Disc-Read Only Memory）、CD-R（Compact Disc-Recordable）、CD-R/W（Compact Disc - Rewritable）、DVD-ROM（Digital Versatile Disc-ROM）、DVD-R（Digital Versatile Disc - Recordable）、DVD-R/W（Digital Versatile Disc-Rewritable）、半導体メモリ（例えば、マスクＲＯＭ、ＰＲＯＭ（Programmable ROM）、EPROM（Erasable PROM）、フラッシュROM、RAM（Random Access Memory）)を含む。
【００９４】
また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９５】
また、上述した各実施の形態は、適宜組み合わせて実施されることが可能である。また、本発明は、上述した各実施の形態に限定されず、様々な態様で実施されることが可能である。
＜付記＞
前述の実施形態の一部または全部は、以下の各付記のようにも記載することができる。しかしながら、以下の各付記は、あくまでも、本発明の単なる例示に過ぎず、本発明は、かかる場合のみに限るものではない。
（付記１）
ユーザ機器と、基地局とを有する無線通信システムであって、
前記ユーザ機器に、システム帯域に含まれる複数の周波数ブロックが設定され、
前記基地局が、
前記ユーザ機器が送信する前記アップリンク信号を受信し、
前記ユーザ機器によって前記複数の周波数ブロックの１つを構成するセルが非アクティブにされる時間を計測し、
前記受信機によって受信された前記アップリンク信号の受信状態と、前記計測された非アクティブにされる時間とに基づき、前記セルがアクティブ状態か非アクティブ状態かを判断する、
無線通信システム。
（付記２）
システム帯域に含まれる複数の周波数ブロックが設定されたユーザ機器から、アップリンク信号を受信するように構成された受信機；
前記複数の周波数ブロックの１つを構成するセルが前記ユーザ機器によって非アクティブにされる時間を計測するよう構成されたタイマー；及び
前記受信された前記アップリンク信号の受信状態と、前記タイマーによって計測された時間とに基づき、前記セルがアクティブ状態か非アクティブ状態かを判断するよう構成されたプロセッサ；
を有する基地局。
（付記３）
前記アップリンク信号の受信状態を測定する測定部を有する、
付記２記載の基地局。
（付記４）
前記タイマーが満了した後、前記測定部により測定された前記アップリンク信号の受信状態が悪い場合、
前記プロセッサは、前記セルが非アクティブ状態であると判定する、
付記３記載の基地局。
（付記５）
前記プロセッサは、
前記アップリンク信号の受信状態が悪い回数をカウントし、
前記判定は、
前記カウントされた回数に基づく、
付記４記載の基地局。
（付記６）
前記アップリンク信号の受信状態は、
前記アップリンク信号の受信品質、及び前記アップリンク信号に関する誤り検出結果、
に基づいて判定される、
付記２記載の基地局。
（付記７）
前記受信品質が所定の閾値より高く、前記誤り検出結果が所定の誤りが検出されたことを示す場合、
前記プロセッサは、前記セルが非アクティブ状態であると判断する、
付記６記載の基地局。
（付記８）
前記プロセッサの判断結果に基づき、前記セルをアクティブにするためのコマンドを送信するよう構成された送信機;
を更に有する、付記７記載の基地局。
（付記９）
前記受信品質は、
前記アップリンク信号のＳＩＲ（Signal to interference ratio）の測定に基づく、
付記６乃至８の何れか一項に記載の基地局。
（付記１０）
前記周波数ブロックは、キャリアアグリゲーションのコンポーネントキャリアである、
付記２乃至９の何れか一項に記載の基地局。
（付記１１）
基地局の通信方法であって、
システム帯域に含まれる複数の周波数ブロックが設定されたユーザ機器から、アップリンク信号を受信し；
前記複数の周波数ブロックの１つを構成するセルがユーザ機器によって非アクティブにされる時間を計測し；
前記受信された前記アップリンク信号の受信状態と、前記計測された時間とに基づき、前記セルがアクティブ状態か非アクティブ状態かを判断する；
基地局の通信方法。
（付記１２）
基地局の通信方法をコンピュータに実行させるためのプログラムであって、
システム帯域に含まれる複数の周波数ブロックが設定されたユーザ機器から、アップリンク信号を受信するプロセスと；
前記複数の周波数ブロックの１つを構成するセルがユーザ機器によって非アクティブにされる時間を計測するプロセスと；
前記受信された前記アップリンク信号の受信状態と、前記計測された時間とに基づき、前記セルがアクティブ状態か非アクティブ状態かを判断するプロセスと；
をコンピュータに実行させるためのプログラム。
（付記１３）
第１の周波数ブロックにおける第１のキャリアと、第２の周波数帯における第２のキャリアとを用いてユーザ機器からアップリンク信号を受信するように構成された受信機と、
前記第２のキャリアに対応するセルがディアクティベートされる時間を計測するように構成されたタイマーと、
前記タイマーによって計測された時間と、前記受信機によって受信されたアップリンク信号の受信状態とに基づき、前記セルがアクティブ状態か非アクティブ状態かを判断するプロセッサと、
を有する基地局。
（付記１４）
ユーザ機器と、基地局とを有する無線通信システムであって、
前記ユーザ機器が、
アップリンク信号を送信するよう構成された送信機;及び
システム帯域に含まれる複数の周波数ブロックが前記ユーザ機器に設定された場合に、前記複数の周波数ブロックの１つを構成するアクティブ状態のセルを非アクティブにする時間を計測するよう構成された第１のタイマー；
を有し、
前記基地局が、
前記アップリンク信号を受信するように構成された受信機；
前記ユーザ機器によって前記セルが非アクティブにされる時間を計測するよう構成された第２のタイマー；及び
前記受信機によって受信された前記アップリンク信号の受信状態と、前記第２のタイマーによって計測された時間とに基づき、前記セルがアクティブ状態か非アクティブ状態かを判断するよう構成されたプロセッサ；
を有する、無線通信システム。
（付記１５）
ユーザ機器であって、
アップリンク信号を送信するよう構成された送信機;
システム帯域に含まれる複数の周波数ブロックが前記ユーザ機器に設定された場合に、前記複数の周波数ブロックの１つを構成するアクティブ状態のセルを非アクティブにする時間を計測するよう構成されたタイマー；
前記タイマーにより計測された非アクティブにする時間が満了した場合、前記セルを非アクティブにするよう構成されるプロセッサ；
を有する、ユーザ機器。
【符号の説明】
【００９６】
１  無線通信システム
２  基地局
３  ユーザ機器
１０  受信機
１１  プロセッサ
１２  タイマー
２１  送信機
２２  プロセッサ
２３  タイマー
３０  無線基地局
３１  ＰＵＣＣＨ受信部
３２  受信制御部
３３  受信状態判定部
３４  非アクティベーションタイマー
３５  アクティブ状態管理部
４０  ユーザ機器
４１  非アクティベーションタイマー
４２  プロセッサ
４３  送信機
３１１  受信部
３１２  SIR測定部
５０  無線基地局
５１  ＰＵＳＣＨ受信部
５２  受信制御部
５３  アクティブ状態判定部
５４  非アクティベーションタイマー
５５  アクティブ状態管理部
５６  送信データ生成部
５７  送信部
５１１  受信部
５１２  SIR測定部
５１３  復調・復号化部
５１４  ＣＲＣ判定部
５７１  変調・符号化部
５７２  無線送信部
６０  ユーザ機器
６１  受信機
６２  アクティブ状態管理部
６３  送信機
６４  非アクティベーションタイマー
７０  無線基地局
７１  受信部
７４  非アクティベーションタイマー
７５  アクティブ状態管理部
７１１  無線受信部
７１２  ＳＩＲ測定部
７１３  復調・復号化部
７１４  ＣＲＣ判定部
【図１】
2016076889.tif 000003
【図２】
2016076889.tif 000004
【図３】
2016076889.tif 000005
【図４】
2016076889.tif 000006
【図５】
2016076889.tif 000007
【図６】
2016076889.tif 000008
【図７】
2016076889.tif 000009
【図８】
2016076889.tif 000010
【図９】
2016076889.tif 000011
【図１０】
2016076889.tif 000012